(57)【特許請求の範囲】
【請求項１】
テント本体と、
前記テント本体を支持するポールと、
前記テント本体の外表面に沿って形成され、前記ポールが挿通するスリーブと、
前記スリーブに設けられ、張り綱を取り付けるための張り綱取付け部と、を有し、
前記スリーブの生地の繊維方向が、前記スリーブと前記テント本体との接合線に対し平行及び垂直に向いており、
前記スリーブの生地の伸縮率が３０％以下である、テント。
【請求項２】
前記張り綱取付け部は、前記接合線に対し垂直方向に向けてスリーブ周りに形成された固定部と、前記固定部に接続され、前記張り綱が取り付けられるリング部とを有する、請求項１に記載のテント。
【請求項３】
前記テント本体は、前記スリーブとの間に介在され、前記スリーブよりも伸縮性の高い伸縮部を有する、請求項１又は２に記載のテント。
【発明の詳細な説明】
【技術分野】
【０００１】
本発明は、テントに関する。
【背景技術】
【０００２】
例えば山岳用やキャンプ用のテントには、シート状のテント本体をポールで支持するものが一般的である。この種のテントには、強風などの悪天候にも耐えられる剛性が求められる。剛性を高くしたテントとして、テント本体の外周面に沿ってスリーブを設け、当該スリーブにポールを挿通させるスリーブ式のテントがあげられる（特許文献１第５図参照。）。このスリーブ式のテントは、ポールとテント本体が密着しているため剛性が高くなる。
【０００３】
また、強風などに対するテントの剛性を上げるため、テント使用時に、テントに張り綱を繋げて、当該張り綱を杭により地面に固定することも行われている。
【先行技術文献】
【特許文献】
【０００４】
【特許文献１】特開２０００−２７４９５号公報
【発明の概要】
【発明が解決しようとする課題】
【０００５】
ところで、上述のスリーブ式のテントでは、スリーブがテント本体に沿って湾曲し、その曲がりの外周側と内周側の生地の長さが相違するため、縫製のし易さ等を考慮して、図４に示すようにスリーブ１００の生地の繊維方向が、テント本体１０１との接合線Ｂに対し斜め約４５度になっている。
【０００６】
このような繊維方向のスリーブ１００は、テントの外方向への紳縮量が大きくなるため、上述の張り綱１０２を繋ぐ場合には、より紳縮しないテント本体１０１側に張り綱接続部１０３が設けられ、張り綱１０２は、スリーブ１００側ではなくテント本体１０１側に接続される。
【０００７】
この場合、ポール１０４が張り綱１０２に十分に固定されなくなり、加えてテント本体１０１における張り綱１０２の接続点（支点）とポール１０４との間に距離ができるため、強風が吹くとポール１０４とテント本体１０１が大きく揺れることになり、風に対するテントの剛性が低下する。
【０００８】
本発明はかかる点に鑑みてなされたものであり、張り綱が繋がれるテントの剛性を向上することをその目的とする。
【課題を解決するための手段】
【０００９】
上記目的を達成するための本発明は、テント本体と、前記テント本体を支持するポールと、前記テント本体の外表面に沿って形成され、前記ポールが挿通するスリーブと、前記スリーブに設けられ、張り綱を取り付けるための張り綱取付け部と、を有し、前記スリーブの生地の繊維方向が、前記スリーブと前記テント本体との接合線に対し平行及び垂直に向いており、前記スリーブの生地の伸縮率が３０％以下である、テントである。
【００１０】
本発明によれば、スリーブの生地の繊維方向が、スリーブとテント本体との接合線に対し平行及び垂直に向いているので、スリーブが外方向に外力を受けても紳縮が極めて小さくなる。よって、スリーブに張り綱取付け部を設けて、ポールを通すスリーブに直接的に張り綱を取り付けることができる。この結果、張り綱によりポールを十分に固定できるので、強風が吹いてもテントが揺れることが抑制され、テントの剛性を向上できる。
【００１１】
前記張り綱取付け部は、前記接合線に対し垂直方向に向けて前記スリーブ周りに形成された固定部と、前記固定部に接続され、前記張り綱が取り付けられるリング部とを有するものであってもよい。かかる場合、張り綱で引っ張られたときにスリーブが接合線に対しおよそ垂直方向に引っ張られるようになる。この垂直方向のスリーブの紳縮が最も小さいため、張り綱によるテントの固定をより強固に行うことができる。
【００１２】
前記テント本体は、前記スリーブとの間に介在され、前記スリーブよりも伸縮性が高い伸縮部を有していてもよい。かかる場合、スリーブの周辺部分の柔軟性が確保されるので、伸縮性が小さいスリーブであってもポールを通しやすくなる。よって、テントの剛性を確保しつつ、テントの組み立て性、取扱性も向上できる。
【発明の効果】
【００１４】
本発明によれば、テントの剛性を上げて、テントの信頼性を向上できる。
【図面の簡単な説明】
【００１５】
【図１】テントの構成の概略を示す斜視図である。
【図２】テントのスリーブ部分を示す側面図である。
【図３】テントのスリーブ部分の部分拡大図である。
【図４】改良前のスリーブ部分の部分拡大図である。
【発明を実施するための形態】
【００１６】
以下、図面を参照して、本発明の好ましい実施の形態について説明する。図１及び図２は、本実施の形態にかかるテント１の一例を示す説明図である。
【００１７】
テント１は、例えばドーム型の組み立て式のものであり、組み立てた時にドーム状になるテント本体１０と、テント本体１０を支持する２本のポール１１と、テント本体１０の外表面に沿って形成され、ポール１１が挿通するスリーブ１２と、スリーブ１２に設けられ、張り綱１３を取り付けるための張り綱取付け部１４と、を有している。
【００１８】
テント本体１０は、ナイロン（ディポン社の登録商標）等の生地のシート状部２０と、シート状部２０とスリーブ１２との間に介在された伸縮部としての網状部２１を有している。
【００１９】
シート状部２０は、テント１が張られたときに床、壁、天井を構成するドーム状になるように形成されている。シート状部２０の正面には、出入口１５が形成されている。網状部２１は、シート状部２０の外側面に沿って帯状に形成されている。網状部２１は、後述するスリーブ１２と同様にテント１を平面から見た時のテント１の対角線上に中央で交差するように２本形成されている。なお、網状部２１は、シート状部２０とスリーブ１２の間の一部にのみ形成されていてもよい。
【００２０】
スリーブ１２は、ナイロン（ディポン社の登録商標）等の生地の細長の円筒状に形成され、両端からポール１１を挿通できる。スリーブ１２は、網状部２１と同様にテント１を平面から見た時のテント１の対角線上に中央で交差するように２本形成されている。スリーブ１２は、網状部２１の外側縁部に沿って縫合されている。
【００２１】
図３に示すようにスリーブ１２は、生地の繊維（織糸）方向がスリーブ１２とテント本体１０の網状部２１との接合線Ａに対し平行及び垂直に向くように形成されている。スリーブ１２は、生地の破断時の伸縮率が３０％以下になっている。網状部２１は、例えばスリーブ１２とシート状部２０よりも伸縮性が高く設定されており、例えば菱形、丸形等の網目を有している。シート状部２０は、例えば生地の繊維方向が接合線Ａに対し斜めに向くように形成されている。
【００２２】
張り綱取付け部１４は、接合線Ａに対し垂直方向に向けてスリーブ１２周りに接合された固定部３０と、固定部３０の外側先端に接続され、張り綱１３が取り付けられるリング部３１を有している。張り綱取付け部１４は、例えば布で形成されている。
【００２３】
以上のように構成されたテント１の使用時には、図１に示すように各スリーブ１２にポール１１が挿入され、ポール１１の先端が地中に挿されて、テント本体１０がドーム状に張られる。張り綱１３は、一端がスリーブ１２の張り綱取り付け部１４に接続され、引張した状態で他端が杭４０により地面に固定される。
【００２４】
以上の実施の形態によれば、スリーブ１２の生地の繊維方向が、スリーブ１２とテント本体１０との接合線Ａに対し平行及び垂直に向いているので、スリーブ１２が外方向に外力を受けても紳縮が極めて小さくなる。よって、スリーブ１２に張り綱取付け部１４を設けて、ポール１１が通るスリーブ１２に直接的に張り綱１３を取り付けることができる。この結果、張り綱１３によりポール１１をしっかり固定でき、強風が吹いてもテント１が揺れることが抑制され、テント１の剛性を向上できる。
【００２５】
また、張り綱取付け部１４が、接合線Ａに対し垂直方向に向けてスリーブ１２周りに形成された固定部３０と、張り綱１３が取り付けられるリング部３１を有しているので、張り綱１３で引っ張られたときにスリーブ１２が接合線Ａに対しておよそ垂直方向に引っ張られるようになる。この垂直方向のスリーブ１２の紳縮が小さいため、張り綱１３の引張力を上げて、張り綱１３によるテント１の固定をより強固に行うことができる。
【００２６】
テント本体１０が、スリーブ１２との間に介在される網状部２１を有しているので、スリーブ１２の周辺部分の柔軟性が確保され、伸縮性が小さいスリーブ１２であってもポール１１を挿入しやすくなる。よって、テント１の剛性を確保しつつ、テント１の組み立て性、取扱性も向上できる。
【００２７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２８】
例えば上述の実施の形態で記載したテント１がドーム型であったが他の形状のものであっても本発明は適用できる。また、テント本体１０、ポール１１、スリーブ１２等の形状も他のものであってもよい。さらに、張り綱取付け部１４の数や位置も任意に選択できる。網状部２１は、あってもなくてもよい。
【産業上の利用可能性】
【００２９】
本発明は、テントの剛性を向上する際に有用である。
【符号の説明】
【００３０】
１  テント
１０  テント本体
１１  ポール
１２  スリーブ
１３  張り綱
１４  張り綱取付け部
１５  出入口
２０  シート状部
２１  網状部
３０  固定部
３１  リング部
４０  杭
Ａ  接合線
【図１】
0005566345.tif 000002
【図２】
0005566345.tif 000003
【図３】
0005566345.tif 000004
【図４】
0005566345.tif 000005